(57)【要約】 【課題】  簡単な構成によりカード収容部に収容したカードの脱落や水濡れを防止することができると共に、社名又は部・課名等の表示を容易に変更することができるカードホルダーを提供する。【解決手段】  可撓性を有する透明又は半透明の合成樹脂からなるホルダー本体１に、第１カード挿入口３を有するポケット状の第１カード収容部２を設け、前記第１カード挿入口３を覆うカバー体４を設けると共に、前記第１カード収容部２の上側に第２カード挿入口６を有する第２カード収容部５を設けたカードホルダー。【選択図】    図１
2005121684.tif 000002
【特許請求の範囲】
【請求項１】
可撓性を有する透明又は半透明の合成樹脂からなるホルダー本体に、第１カード挿入口を有するポケット状の第１カード収容部を設け、前記第１カード挿入口を覆うカバー体を設けると共に、前記第１カード収容部の上側に第２カード挿入口を有する第２カード収容部を設けたカードホルダー。
【請求項２】
前記ホルダー本体とカバー体を接合する接合部が、前記第１カード収容部に収容された第１カードを保持するようにした請求項１に記載のカードホルダー。
【請求項３】
前記第１カード挿入口の両端の近傍に切欠部を設けた請求項１又は２に記載のカードホルダー。
【請求項４】
前記第１カード収容部に第１カード取出用窓を設けた請求項１乃至３のいずれかに記載のカードホルダー。
【発明の詳細な説明】
【技術分野】
【０００１】
本発明は、身分証明書・社員証・学生証・名札等のカードを収容して携帯することができるカードホルダーに関する。
【背景技術】
【０００２】
従来、身分証明書・社員証・学生証・名札等のカードを収容して携帯するカードホルダーは、透明なプラスチックシートからなり、カードを収容する矩形のカード収容部と、該カード収容部の一部を開口してカードを出し入れ可能に設けたカード挿入口とから構成されている。このカードホルダーは、首から吊下げたり、衣服に取り付けたりして携帯するために、カード挿入口からカードが脱落してカードを紛失したり、カード挿入口から水や埃がカード収容部に入り込んでカードを汚損する等の問題があった。
【０００３】
このため、カード挿入口にファスナーを備えて、カードの脱落や水濡れ等を防止することができるようにしたファスナー付カードホルダーは知られている（例えば、特許文献１参照）。
また、カードホルダー自体に社名又は部・課名等の表示を印刷して、挿入するカードにこれらの表示の記載を省略することができるようにしたカードホルダーも知られている。
【０００４】
【特許文献１】特開平９−８１７０６号公報
【発明の開示】
【発明が解決しようとする課題】
【０００５】
しかし、特許文献１に記載のカードホルダーは、ファスナーを閉じてカード収容部を密閉することにより、カード収容部からカードが脱落したり、カードが水や埃によって汚損したりするのを防止することはできるが、カード挿入口の構成が複雑になるために、カードホルダーの製造コストが高くなるという課題があった。
また、カードホルダー自体に社名又は部・課名等の表示を印刷したカードホルダーは、印刷された表示内容が変更になる毎に、ホルダー全体を新しく作り直さなければならないという課題があった。
【０００６】
そこで、本発明は、簡単な構成によりカード収容部に収容したカードの脱落や水濡れを防止することができると共に、社名又は部・課名等の表示を容易に変更することができるカードホルダーを提供するものである。
【課題を解決するための手段】
【０００７】
本発明は、上記課題を解決するために、可撓性を有する透明又は半透明の合成樹脂からなるホルダー本体に、第１カード挿入口を有するポケット状の第１カード収容部を設け、前記第１カード挿入口を覆うカバー体を設けると共に、前記第１カード収容部の上側に第２カード挿入口を有する第２カード収容部を設けたカードホルダーを提供するものである。
【０００８】
また、本発明は、前記ホルダー本体とカバー体を接合する接合部が、前記第１カード収容部に収容された第１カードを保持するようにした請求項１に記載のカードホルダーを提供するものである。
【０００９】
また、本発明は、前記第１カード挿入口の両端の近傍に切欠部を設けた請求項１又は２に記載のカードホルダーを提供するものである。
【００１０】
また、本発明は、前記第１カード収容部に第１カード取出用窓を設けた請求項１乃至３のいずれかに記載のカードホルダーを提供するものである。
【発明の効果】
【００１１】
以上の通り、本発明に係るカードホルダーによれば、可撓性を有する透明又は半透明の合成樹脂からなるホルダー本体に、第１カード挿入口を有するポケット状の第１カード収容部を設け、前記第１カード挿入口を覆うカバー体を設けると共に、前記第１カード収容部の上側に第２カード挿入口を有する第２カード収容部を設けた構成を有することにより、カバー体が第１カード挿入口を覆って、第１カード収容部に収容した身分証明書・社員証・学生証・名札等の第１カードが脱落したり、水や埃によって汚損されたりするのを防止することができる。また、第２カード収容部には、例えば、社名又は部・課名等の表示を印刷した第２カードを収容することができ、第２カードを交換することにより容易に表示内容を変えることができるから、ホルダーの消費量を減らすことができるのみならず、個人情報を記載した第１カードをそのまま使用することができ、カードの消費量も減らすことができる効果がある。
【００１２】
また、本発明は、前記ホルダー本体とカバー体を接合する接合部が、前記第１カード収容部に収容された第１カードを保持するようにした請求項１に記載の構成を有することにより、ホルダー本体とカバー体を接合した簡単な構成によって、第１カードを保持して第１カード収容部から脱落することを阻止することができる。また、ホルダー本体とカバー体の接合部を第１カードを保持する位置に設けることによって、ホルダー全体をコンパクトに形成することができる効果がある。
【００１３】
また、本発明は、前記第１カード挿入口の両端の近傍に切欠部を設けた請求項１又は２に記載の構成を有することにより、ホルダー本体を湾曲させると切欠部と切欠部の間の第１カード挿入口が大きく開口するから、第１カードを第１カード収容部に容易に挿入したり取り出したりすることができる効果がある。
【００１４】
また、本発明は、前記第１カード収容部に第１カード取出用窓を設けた請求項１乃至３のいずれかに記載の構成を有することにより、第１カード取出用窓から第１カードを取出操作して、第１カードを第１カード収容部から容易に取り出しすることができる効果がある。
【発明を実施するための最良の形態】
【００１５】
本発明の実施の形態を図示する実施例に基づいて説明する。
本発明に係るカードホルダーは、可撓性を有する透明又は半透明の合成樹脂からなるホルダー本体１に、第１カード挿入口３を有するポケット状の第１カード収容部２を設け、前記第１カード挿入口３を覆うカバー体４を設けると共に、前記第１カード収容部２の上側に第２カード挿入口６を有する第２カード収容部５を設けてある。
【実施例１】
【００１６】
図１乃至図４に示す実施例において、ホルダー本体１は、ポリエチレン（ＰＥ）やポリプロピレン（ＰＰ）等の軟質オレフィン系樹脂シートからなる。ホルダー本体１に非塩ビ素材を使用したことにより、ホルダーを使用後に焼却処理した場合でも、有害な塩化水素ガスやダイオキシン類が発生しない。
【００１７】
図３及び図４に示すように、ホルダー本体１の裏側には、ホルダー本体１と同じ幅で高さの低い第１収容シート１１を設け、該第１収容シート１１の左右端部と下側端部の接合部１３においてホルダー本体１に溶着して、ポケット状の第１カード収容部２を構成してあり、第１カード収容部２の上側は、開口して第１カード挿入口３を構成してある。実施例では、第１カード収容部２は、第１カード１４（８６×５４ｍｍ）を最適寸法で収容することができるように、外形寸法で幅９５ｍｍに形成してある。また、第１カード収容部２の高さは、第１カード１４の高さより少し低くして、収容した第１カード１４の上部が第１カード収容部２から露出するようにしてある。また、第１収容シート１１は、ホルダー本体１と同様に軟質オレフィン系樹脂シートからなる。
【００１８】
図３に示すように、第１収容シート１１には、第１カード挿入口３の両端の近傍で、収容される第１カード１４の両端部に相当する部分に切欠部７，７を設けてあり、第１カード収容部２の上部において、ホルダー本体１側を第１収容シート１１と分かれて外側に湾曲させて第１カード挿入口３を大きく開くことができるように構成してある。
【００１９】
また、図２及び図４に示すように、ホルダー本体１の裏側の上部には、第２収容シート１２を設けてあり、該第２収容シート１２の下部が第１収容シート１１の上部と重なるようにしてある。第２収容シート１２は、上部をコ字の接合部１３ｂ，１３ｃでホルダー本体１に溶着してあり、横長の袋状の第２カード収容部５を構成してある。図２において、第２カード収容部５の左側は、開口して第２カード挿入口６を構成してある。第２カード挿入口６は、ホルダー本体１の端部より内側に設けてあり、図５に示すように、第２カード挿入口６の外側のホルダー本体１が第２カード１５を案内して第２カード収容部５に挿入することができるように構成してある。また、第２収容シート１２は、ホルダー本体１と同様に軟質オレフィン系樹脂シートからなる。
【００２０】
また、第２収容シート１２は、第２カード収容部５の下端の接合部１３ｃの下側が、カバー体４を構成してある。図示の実施例では、カバー体４を第２カード収容部５と一体的に構成してあるから、第２カード収容部５を掴んでホルダー本体１の上部を表側（図４の左方向）に湾曲させることによって、カバー体４を第１カード挿入口３から容易に外すことができる。
図示の実施例において、接合部１３ｃは、第１カード収容部２に収容した状態の第１カード１４の上端より少し上側に設けてあり、第１カード収容部２から露出した第１カード１４の上部が、接合部１３ｃの接合力によってホルダー本体１とカバー体４に挟まれて保持されるように構成してある。
【００２１】
図２において、８は第１カード取出用窓であり、第１収容シート１１に楕円形の孔を空けて、第１カード収容部２に収容した第１カードを押出すことができるように構成してある。なお、第１カードを雨滴や埃から保護する必要がある場合には、第１カード取出用窓２を設けないで、第１カード収容部２を塞いだ構成にすることも勿論可能である。
【００２２】
また、図１に示すように、ホルダー本体１には、第２カード収容部５の上側に吊下げ部１７を設けてある。吊下げ部１７には、中央部に横長形状の取付孔９を設け、該取付孔９を挟んで左右対称な位置に円形の取付孔１０を設けてある。取付孔９には、クリップやベルト等の取付具１６を取り付けて、胸に吊下げたり、首から吊下げたりしてホルダー本体１を携帯することができる。また、取付孔１０に紐を通して、この紐によりホルダー本体１を吊下げて携帯することも可能である。
【００２３】
次に、実施例１に示すカードホルダーの作用について説明する。
図５に示すように、第２カード収容部５には、社名又は部・課名等の表示を印刷した第２カード１５を収容することができ、第１カード１４のこれらの表示を省略することができる。従って、社名又は部・課名等の表示を変える場合には、新しい表示を印刷した第２カードを第２カード収容部５に収容することによって、容易に社名又は部・課名等の表示を変更することができる。
【００２４】
また、図６に示すように、カバー体４を開いて第１カード挿入口を開放することにより、個人情報を印刷した第１カード１４を第１カード収容部２に容易に挿入することができる。そして、第１カード１４を第１カード収容部２の奥まで挿入してカバー体４を元の位置に戻すことにより、第１カード収容部２から露出する第１カード１４の上部を、接合部１３ｃの接合力によってホルダー本体１とカバー体４の間に挟んで保持することによって、第１カード１４を第１カード収容部に確実に収容することができる。
【図面の簡単な説明】
【００２５】
【図１】本発明カードホルダーの一実施例を示す正面図
【図２】その一実施例を示す背面図
【図３】その一実施例の要部を示す背面図
【図４】その一実施例を示す縦断面図
【図５】その一実施例の使用状態を示す正面図
【図６】その一実施例の使用状態を示す背面図
【符号の説明】
【００２６】
１  ホルダー本体
２  第１カード収容部
３  第１カード挿入口
４  カバー体
５  第２カード収容部
６  第２カード挿入口
７  切欠部
８  第１カード取出用窓
９，１０  取付孔
１１  第１収容シート
１２  第２収容シート
１３ａ，１３ｂ，１３ｃ  接合部
１４  第１カード
１５  第２カード
１６  取付具
１７  吊下げ部
【図１】
2005121684.tif 000003
【図２】
2005121684.tif 000004
【図３】
2005121684.tif 000005
【図４】
2005121684.tif 000006
【図５】
2005121684.tif 000007
【図６】
2005121684.tif 000008